(57)【特許請求の範囲】
【請求項１】
放送を受信して人間の音声の情報を含む再生情報を得る放送受信手段と、
音楽情報が記録された情報媒体を再生して音楽情報を得る音楽情報生成手段と、
前記放送受信手段により得られた再生情報中に所定の音声の情報が存在することを検出する音声検出手段と、
前記音声検出手段により所定の音声の情報が検出された場合に、検出された音声にあらかじめ対応付けられている音楽情報を前記音声情報生成手段に生成させ、前記放送受信手段により得られる前記再生情報に前記音楽情報生成手段により生成された音楽情報をミキシングするミキサ手段と、
前記ミキサ手段により合成された合成音響情報を音響再生する音響再生手段と、
を具備することを特徴とするオーディオ情報再生システム。
【請求項２】
前記音声検出手段は、前記再生情報に含まれる音声を認識する音声認識手段から構成され、
前記音楽情報生成手段は、前記音声認識手段により前記再生情報中に所定の用語の音声が認識された場合に、認識した音声にあらかじめ対応付けられている音楽情報を生成する、
ことを特徴とする請求項１に記載のオーディオ情報再生システム。
【請求項３】
複数の用語と該用語に対応する複数の音楽情報との対応関係の情報を記憶する記憶手段をさらに備え、
前記音声認識手段は、前記放送受信手段により得られた再生情報中の音声情報を認識して、
前記音声認識手段が所定の用語を認識すると、前記音楽情報生成手段は、前記記憶手段が記憶する前記対応関係の情報に基づいて、認識した用語に対応する音楽情報を選択して生成する、
ことを特徴とする請求項２に記載のオーディオ情報再生システム。
【請求項４】
前記音楽情報生成手段は、
それぞれ複数の音楽情報を含む異なる種類の情報媒体を再生する複数の情報媒体再生手段と、
これら複数の情報媒体再生手段のうちのいずれか一つの情報媒体を選択する情報媒体選択手段と、
選択した情報媒体に含まれる音楽情報のうちのいずれか一つの音楽情報を選択的に得る音楽情報選択手段と、
を含むことを特徴とする請求項３に記載のオーディオ情報再生システム。
【請求項５】
放送を受信して再生情報を得る放送受信手段と、
複数の音楽情報が記録された情報媒体を再生して、該複数の音楽情報のうちのいずれか一つの音楽情報を得る音楽情報生成手段と、
前記放送受信手段により得られた前記再生情報中の音声情報を認識する音声認識手段と、
複数の用語と複数の音楽情報との対応情報を記憶する記憶手段と、
前記音声認識手段が認識した音声情報が前記記憶手段に記憶された所定の用語と一致するか否かを判別する判別手段と、
前記判別により、前記音声認識手段が認識した音声情報が所定の用語に一致すると判別した場合に、該所定の用語に対応する音楽情報の情報を前記記憶手段に記憶された対応情報に基づいて読み出し、前記音楽情報生成手段の生成対象としての音楽情報を特定する音楽情報特定手段と、
前記音楽情報特定手段により特定された音楽情報を前記音楽情報生成手段に生成させ、生成した該音楽情報と、前記放送受信手段により得られた前記再生情報とをミキシングするミキサ手段と、
前記ミキサ手段により合成された合成音響情報を音響再生する音響再生手段と、
を具備することを特徴とするオーディオ情報再生システム。
【発明の詳細な説明】
【０００１】
【発明の属する技術分野】
この発明は、放送およびオーディオディスク等のオーディオ情報の再生を行うオーディオ情報再生システムに係り、特にリスナ（聴取者）の嗜好に応じて、躍動感や迫力に富むオーディオ情報を再生可能とするオーディオ情報再生システムに関する。
【０００２】
【従来の技術】
複数の情報を同時に提供するシステムが、特開平５−３０７８３２号公報および特開平７−２８８８７４号公報に開示されている。
特開平５−３０７８３２号公報に示されたシステムは、音楽と歌詞と静止画像とを同時に提供するものである。この特開平５−３０７８３２号公報のシステムにおいては、それぞれファイルに格納された音楽と歌詞と静止画像とを同期に再生させて、いわゆるカラオケシステムとしての再生を可能とする。
【０００３】
一方、特開平７−２８８８７４号公報においては、テレビ（テレビジョン：ＴＶ）およびビデオレコーダ（例えばビデオカセットレコーダ（ＶＣＲ））等のような映像機器と、ＣＤ（コンパクトディスク〜商標）プレーヤおよびオーディオテープレコーダ（例えばコンパクトカセット〜商標）のような音響機器とを一体に設けて、映像情報と音響情報を選択的に組み合わせて再生するシステムが示されている。この特開平７−２８８８７４号公報のシステムでは、各映像機器および各音響機器のうちのいずれか１つを選択的に再生することにより、単一のシステムとして再生する。その他に、この特開平７−２８８８７４号公報のシステムでは、選択した映像機器による再生情報のうちの音声情報に代えて別途に選択した音響機器の再生音響情報を再生することができる。
【０００４】
【発明が解決しようとする課題】
上述した従来の複数の情報を同時再生するシステムは、いずれも音響情報と映像情報とを組合わせて同時再生するものであり、複数の音響情報を組み合わせて同時再生するという技術ではない。
【０００５】
ところで、例えば、ラジオ等における野球中継のようなスポーツ中継等の実況中継放送においては、アナウンサの声と、観客の声援などの周囲のライブ音だけが放送されていた。すなわち、図７に示すように、例えばラジオによる野球中継の受信聴取状態では、リスナ（聴取者）Ｌには、ラジオからの実況中継音源ＢＳ０による音として、アナウンサのアナウンスＢＳ０１と野球場の歓声等のライブ音ＢＳ０２しか聞こえてこなかった。
【０００６】
しかしながら、アナウンサのアナウンスＢＳ０１の音声と、観客の歓声等のライブ音ＢＳ０２のみでは、しばしば、躍動感に欠け、しかも迫力に乏しいなどの傾向があった。すなわち、従来の実況中継放送等においては、現場の躍動感あふれる状況を臨場感をもって伝えることは困難であった。
【０００７】
この発明は、上述した事情に鑑みてなされたもので、主たる音声情報では、音響表現が乏しいときに、リスナの好みに応じて音響表現を増強し、優れた臨場感等に相当する豊かな音響再生を可能とするオーディオ情報再生システムを提供することを目的とする。
【０００８】
上記目的を達成するため、この発明の第１の観点に係るオーディオ情報システムは、放送を受信して人間の音声の情報を含む再生情報を得る放送受信手段と、音楽情報が記録された情報媒体を再生して音楽情報を得る音楽情報生成手段と、前記放送受信手段により得られた再生情報中に所定の音声の情報が存在することを検出する音声検出手段と、前記音声検出手段により所定の音声の情報が検出された場合に、検出された音声にあらかじめ対応付けられている音楽情報を前記音声情報生成手段に生成させ、前記放送受信手段により得られる前記再生情報に前記音楽情報生成手段により生成される音楽情報をミキシングするミキサ手段と、前記ミキサ手段により合成された合成音響情報を音響再生する音響再生手段と、を具備する。この発明に係るオーディオ情報システムは、スポーツ中継等の放送の人間の音声の情報に、例えば、ＢＧＭとしての音楽情報をミキシングして再生する。従って、放送による人間の音声の情報だけでは、音響表現が乏しいとき等に、音響表現を増強し、優れた臨場感を与えることができる。
【０００９】
前記音声検出手段は、前記再生情報に含まれる音声を認識する音声認識手段から構成され、前記音楽情報生成手段は、前記音声認識手段により前記再生情報中に所定の用語の音声が認識された場合に、認識した音声にあらかじめ対応付けられている音楽情報を生成するものであってもよい。
【００１０】
複数の用語と該用語に対応する複数の音楽情報との対応関係の情報を記憶する記憶手段をさらに備え、前記音声認識手段は、前記放送受信手段により得られた再生情報中の音声情報を認識して、前記音声認識手段が所定の用語を認識すると、前記音楽情報生成手段は、前記記憶手段が記憶する前記対応関係の情報に基づいて、認識した用語に対応する音楽情報を選択して生成するものであってもよい。
【００１１】
前記音楽情報生成手段は、それぞれ複数の音楽情報を含む異なる種類の情報媒体を再生する複数の情報媒体再生手段と、これら複数の情報媒体再生手段のうちのいずれか一つの情報媒体を選択する情報媒体選択手段と、選択した情報媒体に含まれる音楽情報のうちのいずれか一つの音楽情報を選択的に得る音楽情報選択手段と、を含んでいてもよい。
【００１２】
この発明の第２の観点に係るオーディオ情報再生システムは、放送を受信して再生情報を得る放送受信手段と、複数の音楽情報が記録された情報媒体を再生して、該複数の音楽情報のうちのいずれか一つの音楽情報を得る音楽情報生成手段と、前記放送受信手段により得られた前記再生情報中の音声情報を認識する音声認識手段と、複数の用語と複数の音楽情報との対応情報を記憶する記憶手段と、前記音声認識手段が認識した音声情報が前記記憶手段に記憶された所定の用語と一致するか否かを判別する判別手段と、前記判別により、前記音声認識手段が認識した音声情報が所定の用語に一致すると判別した場合に、該所定の用語に対応する音楽情報の情報を前記記憶手段に記憶された対応情報に基づいて読み出し、前記音楽情報生成手段の生成対象としての音楽情報を特定する音楽情報特定手段と、前記音楽情報特定手段により特定された音楽情報を前記音楽情報生成手段に生成させ、生成した該音楽情報と、前記放送受信手段により得られた前記再生情報とをミキシングするミキサ手段と、前記ミキサ手段により合成された合成音響情報を音響再生する音響再生手段と、を具備する。この発明に係るオーディオ情報再生システムは、主音楽情報生成手段により生成される主となる音楽情報に補助的な音響的効果を与えるＢＧＭとしての音楽情報やリズムのような補助音楽情報等を補助音楽生成手段により生成して合成して、再生する。従って、主たる音声情報では、音響表現が乏しいとき等に、主たる音声情報と同時に補助的な音声情報を再生することにより、音響表現を増強し、豊かな音響を再生することができる。
【００１３】
【発明の実施の形態】
以下、この発明の実施の形態を図面を参照して説明する。図１は、この発明の第１の実施の形態に係るオーディオ情報再生システムの構成を示している。
【００１４】
図１に示すオーディオ情報再生システムは、受信部１、ミキサ２、アンプ（増幅器）３、スピーカシステム４、ＣＤ装置５、ＭＤ装置６、音源装置７および付加入力セレクタ８を備えている。
【００１５】
受信部１は、ＡＭ（振幅変調）放送およびＦＭ（周波数変調）放送等のラジオ放送を受信復調する。この受信部１は、例えばＡＭ放送による野球中継のようなスポーツ中継等の実況放送を受信することができる。ミキサ２は、受信部１により受信復調されたラジオ放送に、所望に応じて付加入力セレクタにより選択された入力情報をミックスしてアンプ３に供給する。アンプ３は、入力情報を適宜増幅し、スピーカシステム４に与えて再生に供する。スピーカシステム４は、電気信号を音響信号に変換するためのシステムであり、単一チャンネルのモノラル再生の場合には１系統、２チャンネルのステレオ再生の場合には２系統、および３チャンネル以上の他チャンネル再生の場合には３系統以上のスピーカ系統を構築する。
【００１６】
ＣＤ装置５は、ＣＤの再生を行う装置であり、この場合音楽ＣＤを再生することにより、音楽情報を出力する。ＭＤ（ミニディスク〜商標）装置６は、ＭＤの記録／再生を行う装置であり、予め音楽ＣＤまたは音楽放送から音楽情報を記録したＭＤを含む音楽情報が記録されたＭＤを再生して、音楽情報を出力する。音源装置７は、その他の音源、つまりＣＤおよびＭＤ以外の音源により音楽情報を生成する装置である。
【００１７】
付加入力セレクタ８は、リスナの好みに応じて、ＣＤ装置５、ＭＤ装置６およびその他の音源装置７のうち、所望の音源を選択して付加入力としてミキサ２に供給する。ミキサ２は、付加入力セレクタ８から付加入力が与えられているときは、その付加入力をリスナの外部操作により所望に応じてレベル調整して、受信部１からの受信再生情報に重畳して合成し、アンプ３に供給する。なお、この付加入力セレクタ８は、リスナが付加音源の重畳再生を所望しないときは、何も選択しないようにすることができる。付加入力セレクタ８で、何も付加音源を選択していないときは、ミキサ２は、受信部１からの放送情報のみをアンプ３に供給する。
【００１８】
図１のような構成のオーディオ情報再生システムは、図２に示すように、受信部１で受信復調される放送が、例えば野球中継、サッカー中継、陸上競技中継、水泳競技中継、オリンピック中継、自動車レース、競馬および競輪のようなスポーツ中継、ニュース等の実況放送である場合には、放送音源ＢＳ１が、中継アナウンサによるアナウンスＢＳ１１および中継現場の歓声等のライブ音ＢＳ１２のみで構成される。このようなアナウンスＢＳ１１およびライブ音ＢＳ１２のみでは、リスナＬは、充分な迫力や躍動感が得られないなど、退屈であったり物足りなく感じたりすることもある。
【００１９】
そのような場合には、リスナＬが付加入力セレクタ８により、ＣＤ装置５、ＭＤ装置６およびその他の音源装置７による付加音源としての音楽ソースＭＳ１を選択し、ミキサ２において、受信部１からの受信復調情報（アナウンスＢＳ１１およびライブ音ＢＳ１２）と適宜ミックスする。
このようにして、アンプ３およびスピーカシステム４により再生される再生音には、リスナＬの好みに応じた音楽ソースＭＳ１の音楽情報がＢＧＭ的に重畳され、リスナＬの好みに応じた豊かな迫力や躍動感に満ちた音響再生が行われる。
【００２０】
なお、付加入力セレクタ８により選択される付加音源としては、ＣＤおよびＭＤ等のディスク媒体の他に、ＰＣ（パーソナルコンピュータ）メモリカード等と称されるメモリ媒体やスモールカード（具体的には、スマートメディア（商標）やコンパクトフラッシュ（商標）等）等と称されるメモリ媒体や、ＤＡＴ（ディジタルオーディオテープ〜商標）やオーディオカセット（コンパクトカセット〜商標）等のテープ媒体に音楽情報を記録したものの再生装置を用いるようにしてもよい。
【００２１】
次に、この発明の第２の実施の形態について説明する。図３は、この発明の第２の実施の形態に係るオーディオ情報再生システムの構成を示している。
【００２２】
図３に示すオーディオ情報再生システムは、受信部１０、音楽音源装置１１、同期ミキサ１２、アンプ（増幅器）１３、スピーカシステム１４およびリズム音源装置１５を備えている。受信部１０，アンプ１３およびスピーカシステム１４は、図１に示した受信部１，アンプ３およびスピーカシステム４とほぼ同様である。
【００２３】
受信部１０は、図１の受信部１と同様に、スポーツ、ニュースなどの実況中継放送を受信・再生する。
音楽音源装置１１は、図１に示したＣＤ装置５、ＭＤ装置６または受信部１のように音楽情報の再生を行うことの可能な音源装置であり、再生した音楽情報を同期ミキサ１２に供給する。同期ミキサ１２は、音楽音源装置１１により生成された音楽情報に、所望に応じてリズム音源装置１５からの入力情報を同期的にミックスしてアンプ１３に供給する。アンプ１３は、入力情報を適宜増幅し、スピーカシステム１４に与えて音響再生に供する。
【００２４】
リズム音源装置１５は、音楽のリズムセクションの情報を記録した音楽ＣＤを再生するＣＤ装置、音楽のリズムセクションの情報を電子的に生成するリズムボックスやリズムマシン等のようなリズム発生装置、あるいはリズム情報をＭＩＤＩ（Musical Instrument Digital Interface）情報等として記録した記憶媒体を再生し、音楽のリズムセクションの情報を出力する。
【００２５】
同期ミキサ１２は、受信部１０から出力される実況中継の再生音に、リスナの外部操作に従って、音楽音源装置１１の音楽情報出力を重畳して合成する。さらに、同期ミキサ１２は、リズム音源装置１５からリズム情報が与えられているときは、そのリズム情報を、リスナの外部操作により所望に応じてレベル調整して、音楽音源装置１１の音楽情報出力に重畳して合成する。同期ミキサ１２は、音楽音源装置１１の音楽情報出力に、リズム音源装置１５のリズム情報を合成するに際し、両者のリズムを同期させるべくリズムを調整する。
【００２６】
リズムを同期させる方法としては、例えば、音楽音源装置１１の音楽情報からリズム情報を抽出し、それに対応するタイミングでリズム音源装置１５のリズム情報を出力させる方法、あるいは、音楽音源装置１１の音楽情報からリズム情報を抽出し、それに対応してリズム音源装置１５のリズム情報を予めバッファリングしておいてタイミングを調整する方法等を用いることができる。さらには、リズムを同期させる方法として、リズム音源装置１５のリズム情報の出力のタイミングを手動で調整可能とし、リスナの聴感に基づく調整操作により、タイミングの同期をとるようにしてもよい。
【００２７】
なお、この同期ミキサ１２は、リスナがリズム情報の重畳再生を所望しないときは、リズム情報のミックスを抑制することができ、その場合には、同期ミキサ１２は、音楽音源装置１１の音楽情報出力のみをアンプ１３に供給する。
【００２８】
図３のような構成のオーディオ情報再生システムにおいては、図４に示すように、音楽音源装置１１による音楽ソースＭＳ２が、ボーカル（歌唱）ＭＳ２１、伴奏楽器ＭＳ２２およびリズムセクションＭＳ２３で構成される。
【００２９】
そこで、中継放送の再生音Ｂ１，Ｂ２に、音楽ソースＭＳ２からのボーカルＭ１、伴奏楽器音Ｍ２およびリズムＲ０が適宜ミックスされる。さらに、リスナＬがリズム音源装置１５によるリズムソースＲＳ１のリズムセクションＲＳ１１を有効とすることにより、音楽ソースＭＳ２からの音声とリズムセクションＲＳ１１からのリズムＲ１とを同期してミックスさせ、これを中継放送の再生音に重畳することができる。
【００３０】
このようにして、リスナＬの好みに応じて、音楽ソースＭＳ２やリズムソースＲＳ１からの音楽情報が、中継放送にＢＧＭ的に重畳され、リスナＬの好みに応じた豊かな迫力や躍動感に満ちた音響再生が行われる。
【００３１】
上記実施の形態においては、リスナＬの判断により、音声情報をミキシング（合成）して、出力したが、自動的に主となる音声情報を合成するタイミングを判別して、合成出力するようにしてもよい。
このような実施の形態を図５及び図６を参照して説明する。
【００３２】
図５に示すオーディオ再生システムの構成は、基本的に音声再生システムである。ただし、付加入力セレクタ８は、音声認識部８１と、選択テーブル８２とを備える。
選択テーブル８２には、図６に示すように、予め、スポーツの実況中継毎に、比較的多用される用語とその用語に対応する音楽情報が記録されたメディアとそのアドレスが登録されている。
また、音声認識部８１には受信部１から再生音が供給されている。
【００３３】
受信部１が再生した音声を音声認識部８１が認識し、選択テーブル８２に予め登録されている用語を認識すると、付加入力セレクタ８は、選択テーブル８２に予め登録されているアドレスから、対応する媒体に記録されている曲又はリズムを再生し、ミキサ２がそのＢＧＭを音声情報に合成し、出力される。
【００３４】
例えば、野球の実況中継中に、アナウンサが「ホームラン」と絶唱した場合には、「ホームラン」が音声認識部８１によって認識され、ＭＤ装置６が駆動され、ＭＤの第８曲目の曲Ｄが再生され、実況放送と合成されて、再生される。
【００３５】
選択テーブル８２の内容を、リスナＬが任意に編集できるようにすることにより、リスナの好みに応じたＢＧＭを自動的に再生することができる。また、認識率を高めるために、放送の受信開始時に、スポーツの種類を特定するようにしてもよい。
【００３６】
その他、この発明は、上記実施の形態に限定されず、種々の変形及び応用が可能である。
【００３７】
【発明の効果】
以上説明したように、この発明によれば、リスナの好みに応じて音響表現を増強して再生することが可能となる。
【図面の簡単な説明】
【図１】この発明の第１の実施の形態に係るオーディオ情報再生システムの構成を模式的に示すブロック図である。
【図２】図１のオーディオ情報再生システムにおける動作を説明するための模式図である。
【図３】この発明の第２の実施の形態に係るオーディオ情報再生システムの構成を模式的に示すブロック図である。
【図４】図３のオーディオ情報再生システムにおける動作を説明するための模式図である。
【図５】図１のオーディオ情報再生システムの変形例を説明するための模式図である。
【図６】図５に示す選択テーブルの構成例を示す図である。
【図７】従来のオーディオ情報再生システムにおける動作を説明するための模式図である。
【符号の説明】
１      受信部
２      ミキサ
３      アンプ（増幅器）
４      スピーカシステム
５      ＣＤ（コンパクトディスク）装置
６      ＭＤ（ミニディスク）装置
７      その他の音源装置
８      付加入力セレクタ
１１    音楽音源装置
１２    同期ミキサ
１３    アンプ
１４    スピーカシステム
１５    リズム音源装置
８１    音声認識部
８２    選択テーブル
【図１】
0003704443.tif 000002
【図２】
0003704443.tif 000003
【図３】
0003704443.tif 000004
【図４】
0003704443.tif 000005
【図５】
0003704443.tif 000006
【図６】
0003704443.tif 000007
【図７】
0003704443.tif 000008